【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
コンピューティングシステムであって、
電子メールメッセージ内のメッセージコンテンツを受信および表示する作成ペインを伴う電子メールユーザインターフェースディスプレイを生成する電子メール（ｅメール）システムと、
位置情報を受信し、前記位置情報に基づいて対話型マップディスプレイを生成する位置統合システムと、
位置電子メールメッセージを生成するために、前記対話型マップディスプレイの選択可能表現を前記作成ペインに読み込むように、前記電子メールシステムを制御する電子メール読み込みロジックであって、前記対話型マップディスプレイの前記選択可能表現は前記位置電子メールメッセージの受信者によって選択可能である、電子メール読み込みロジックと、
を備えるコンピューティングシステム。
【請求項２】
前記電子メール読み込みロジックは、前記電子メールユーザインターフェースディスプレイ上に表示され、対応するマップ機能を前記対話型マップディスプレイ上で実行するために各々が作動される、ユーザ作動可能マップ機能アクチュエータのセットを生成し、前記電子メール読み込みロジックは、前記対応するマップ機能を実行するために、所与のマップ機能アクチュエータのユーザ作動に基づいて、位置情報ソースによって公開されるインターフェースと対話する、請求項１に記載のコンピューティングシステム。
【請求項３】
前記電子メール読み込みロジックは、作動されたときに前記位置情報に基づいて前記対話型マップディスプレイ上の位置マーカを表示するように前記対話型マップディスプレイを制御する位置マーカアクチュエータを、前記マップ機能アクチュエータのセットのうちの１つとして生成する、請求項２に記載のコンピューティングシステム。
【請求項４】
前記電子メール読み込みロジックは、
前記対話型マップディスプレイの選択可能プレビューとして前記対話型マップディスプレイの前記選択可能表現を生成し、前記対話型マップディスプレイの前記選択可能プレビューを、その上に表示された前記位置マーカと共に、前記作成ペイン上の前記メッセージコンテンツと合致した前記位置電子メールメッセージ内に統合する、マップディスプレイ統合ロジック、
を備える、請求項３に記載のコンピューティングシステム。
【請求項５】
前記マップ機能アクチュエータのセットは、各々が追加の位置ベース情報のソースに対応する複数の異なるアクチュエータを備え、前記電子メール読み込みロジックは、
前記追加の位置ベース情報を、前記作成ペイン上の前記メッセージコンテンツおよび前記対話型マップディスプレイの前記選択可能プレビュー上と合致した前記位置電子メールメッセージに統合する追加情報統合ロジック、
を備える、請求項４に記載のコンピューティングシステム。
【請求項６】
前記対話型マップディスプレイ上の位置マーカに対応する位置情報を識別するために前記対話型マップディスプレイにアクセスし、前記位置マーカに対応する前記位置情報に基づいて日程を示す日程レコードを生成する日程生成ロジック、
をさらに備える、請求項３に記載のコンピューティングシステム。
【請求項７】
前記日程生成ロジックは、
前記日程をパラメータ化するためのパラメータを入力するために作動されるパラメータ入力機構を生成するパラメータ処理システムを備え、前記日程生成ロジックは前記パラメータに基づいて前記日程レコードを生成する、
請求項６に記載のコンピューティングシステム。
【請求項８】
前記日程生成ロジックは、
前記日程レコードを修正するために作動されるユーザ作動可能修正アクチュエータを生成する修正構成要素、
を備える、請求項７に記載のコンピューティングシステム。
【請求項９】
前記位置統合システムは、
前記対話型マップディスプレイを生成するために、前記位置統合システムの機能をアクティベートするためのアクティベート入力を検出する位置機能検出ロジック、
を備える、請求項１に記載のコンピューティングシステム。
【請求項１０】
前記位置機能検出ロジックは、前記作成ペイン上に位置アクチュエータを表示するように前記電子メールシステムを制御し、前記位置機能検出ロジックは、
前記作成ペイン上での前記位置アクチュエータのユーザ作動を検出するユーザ入力検出器、
を備える、請求項９に記載のコンピューティングシステム。
【請求項１１】
前記位置機能検出ロジックは、
前記電子メールメッセージ内の前記メッセージコンテンツの言語コンテンツに基づいて前記アクティベート入力を検出する自動検出器、
を備える、請求項９に記載のコンピューティングシステム。
【請求項１２】
前記位置統合システムは、
前記位置情報を検出する位置検出ロジック、
を備える、請求項９に記載のコンピューティングシステム。
【請求項１３】
前記位置検出ロジックは、
前記位置情報として前記位置統合システムの現在位置を検出する現在位置検出器、
を備える、請求項１２に記載のコンピューティングシステム。
【請求項１４】
前記位置検出ロジックは、
位置入力機構を表示し、前記位置情報を取得するために位置入力機構のユーザ作動を検出する、ユーザ入力済み位置検出器を備える、請求項１２に記載のコンピューティングシステム。
【請求項１５】
コンピュータ実装方法であって、
電子メールメッセージ内のメッセージコンテンツを受信および表示する作成ペインを伴う電子メールユーザインターフェースディスプレイを生成すること、
位置情報を受信すること、
前記位置情報に基づいて対話型マップディスプレイを生成すること、および、
位置電子メールメッセージを生成するために、前記対話型マップディスプレイの選択可能表現を前記作成ペインに読み込むように電子メールシステムを制御することであって、前記対話型マップディスプレイの前記選択可能表現は前記位置電子メールメッセージの受信者によって選択可能である、制御すること、
を含むコンピュータ実装方法。
【請求項１６】
前記電子メールユーザインターフェースディスプレイ上に表示され、対応するマップ機能を前記対話型マップディスプレイ上で実行するために各々が作動される、ユーザ作動可能マップ機能アクチュエータのセットを生成すること、
所与のマップ機能アクチュエータの作動を検出すること、
所与のマップ機能アクチュエータのユーザ作動に基づいて、位置情報ソースによって公開されるインターフェースにアクセスすること、および、
対応するマップ機能を実行すること、
を更に備える、請求項１５に記載のコンピュータ実装方法。
【請求項１７】
前記マップ機能アクチュエータのセットを生成することは、
マップ機能アクチュエータのセットのうちの１つとして、位置マーカアクチュエータを生成すること、
位置マーカアクチュエータの作動を検出すること、および、
前記位置情報に基づいて対話型マップディスプレイ上に位置マーカを表示するように、対話型マップディスプレイを制御すること、
を更に備える、請求項１６に記載のコンピュータ実装方法。
【請求項１８】
前記作成ペインに読み込むように電子メールシステムを制御することは、
対話型マップディスプレイの選択可能プレビューとして、対話型マップディスプレイの選択可能表現を生成すること、および、
その上に位置マーカが表示された対話型マップディスプレイの選択可能プレビューを、作成ペイン上のメッセージコンテンツと合致した位置電子メールメッセージに統合すること、
を更に備える、請求項１７に記載のコンピュータ実装方法。
【請求項１９】
対話型マップディスプレイ上の位置マーカに対応する位置情報を識別するために、対話型マップディスプレイにアクセスすること、および、
位置マーカに対応する位置情報に基づいて、日程を示す日程レコードを生成すること、
を更に備える、請求項１８に記載のコンピュータ実装方法。
【請求項２０】
コンピューティングシステムであって、
電子メールメッセージ内のメッセージコンテンツを受信および表示する作成ペインを伴う電子メールユーザインターフェースディスプレイを生成する電子メール（ｅメール）システムと、
位置情報を受信し、前記位置情報に基づいて対話型マップディスプレイを生成する位置統合システムと、
作動されたときに前記位置情報に基づいて前記対話型マップディスプレイ上の位置マーカを表示するように前記対話型マップディスプレイを制御する位置マーカアクチュエータを生成するように、前記電子メールシステムを制御する電子メール読み込みロジックであって、前記電子メール読み込みロジックは、位置電子メールメッセージを生成するために前記作成ペイン上の前記メッセージコンテンツと合致した、その上に前記位置マーカが表示された前記対話型マップディスプレイの選択可能表現を前記作成ペインに読み込むように構成され、前記対話型マップディスプレイの前記選択可能表現は前記位置電子メールメッセージの受信者によって選択可能である、電子メール読み込みロジックと、
を備えるコンピューティングシステム。